(57)【特許請求の範囲】
【請求項１】
梱包箱と、表示器用スタンドと、保護材とからなり、
表示器用スタンドは、梱包箱に収納可能な外形を有し、正面側に表示器を嵌め込んで保持する保持窓を備え、背面側に折り込み、折り出し可能な脚部とを備えてなり、脚部を折り込んで梱包箱に収納されて表示器用緩衝材として機能し、梱包箱から取り出されているときは脚部を折り出して表示器を支持するスタンドとして機能することが可能な構成とし、
表示器を収納した表示器用スタンドを梱包箱に収納するとともに当該表示器の表示部を保護材にて覆って梱包し、表示器を収納した表示器用スタンドを梱包箱から取り出すとともに表示器を表示器用スタンドに収納した状態で脚部を折り出して表示器用スタンドを使用姿勢に組み立てる、ことを特徴とする表示器の梱包構造。
【請求項２】
梱包箱と、表示器用スタンドと、保護材とからなり、
表示器用スタンドは、梱包箱に収納可能な外形を有するケースと、このケースの正面側に表示器を嵌め込んで保持する保持窓を、背面側に折り込み、折り出し可能な脚部を、それぞれ設け、このケースの内部に緩衝材を収納してなり、ケースは、保持窓に表示器を保持しかつ脚部を折り込んで梱包箱に収納されて表示器用緩衝材として機能することが可能であるとともに、梱包箱から取り出されているときは脚部を折り出して表示器を支持するスタンドとして機能することが可能な構成とし、
表示器を収納した表示器用スタンドを梱包箱に収納するとともに当該表示器の表示部を保護材にて覆って梱包し、表示器を収納した表示器用スタンドを梱包箱から取り出すとともに表示器を表示器用スタンドに収納した状態で脚部を折り出して表示器用スタンドを使用姿勢に組み立てる、ことを特徴とする表示器の梱包構造。
【発明の詳細な説明】
【技術分野】
【０００１】
本発明は、梱包箱に収納されているプログラマブル表示器等の表示器を支持するための表示器用スタンドに関するものである。
【背景技術】
【０００２】
プログラマブル表示器は、制御対象機器の動作状況を表示する表示機能や制御対象機器の動作を制御するための操作を行う操作機能を備えたものであり、制御盤等の設置場所に組み込む際には、その組み込み直前に設置場所において初期設定等の各種操作を行う必要がある。そのため、制御盤などの設置箇所に組み付ける前には、表示器を梱包箱の収納取出口から取り出し、初期設定の操作を行うのであるが、梱包箱から取り出しての設定操作はしづらく、また、表示部の画面も見にくい。そのうえ、表示器の形状が表示部の縦横寸法に対して表示器本体の縦横寸法が奥行きに小さいため特に設置しにくい。
【０００３】
そこで、表示器を支持する専用スタンドを準備することが考えられるが、表示器に対する上記初期設定は１回だけであり、わざわざ、設置場所にまで専用スタンドを準備するのも煩わしい、等の課題がある。
【０００４】
そのため、特許文献１には、梱包箱から緩衝材を取り出すとともにその緩衝材を表示器用スタンドに組み上げ、また、梱包箱から取り出した表示器をその表示器用スタンドに保持する技術が提案されている。詳細は特許文献１参照。
【０００５】
しかしながら、この従来技術では、
（１）段ボール紙を複雑な形状に打抜き加工して折り重ねたものであり、梱包箱内部で複雑に折り重ねられて収納されている緩衝材を取り出して表示器用スタンドの形状に組み立てる作業が必要であること、
（２）発泡スチロールなどの緩衝材で囲まれた表示器を取り出し、その組み立てた表示器用スタンドの保持窓に表示器を嵌め付ける作業が必要であること、
等により実際に表示器を設定操作することができる状態に至るまでには数多くの作業が要求されており、
（３）そのうえ、表示器用スタンドに利用するために緩衝材を特殊な形状に形成する必要があるから、緩衝材の製作に極めて高価な金型が必要となり、梱包コストが極めて高くならざるを得ない、という課題がある。
【特許文献１】特開２０００−２８１１号公報
【発明の開示】
【発明が解決しようとする課題】
【０００６】
本発明により解決すべき課題は、梱包箱に収納されているときは緩衝材として機能し、梱包箱から取り出した後は、表示器用スタンドとして機能するものにおいて、緩衝材を複雑に折り出すなどして表示器用スタンドに組み立てる必要なく、さらにその組み立てた表示器用スタンドに表示器を組み付ける必要なく、加えて緩衝材は極めて簡易な構造として緩衝材の製作のための金型コストも安価に済むようにして、制御盤等の設置場所に組み付ける直前の表示器に対する初期設定等の操作を簡単、迅速、安価に実施することができるようにすることである。
【課題を解決するための手段】
【０００７】
本発明による表示器の梱包構造は、梱包箱と、表示器用スタンドと、保護材とからなり、表示器用スタンドは、梱包箱に収納可能な外形を有し、正面側に表示器を嵌め込んで保持する保持窓を備え、背面側に折り込み、折り出し可能な脚部とを備えてなり、脚部を折り込んで梱包箱に収納されて表示器用緩衝材として機能し、梱包箱から取り出されているときは脚部を折り出して表示器を支持するスタンドとして機能することが可能な構成とし、表示器を収納した表示器用スタンドを梱包箱に収納するとともに当該表示器の表示部を保護材にて覆って梱包し、表示器を収納した表示器用スタンドを梱包箱から取り出すとともに表示器を表示器用スタンドに収納した状態で脚部を折り出して表示器用スタンドを使用姿勢に組み立てる、ことを特徴とするものである。
【０００８】
本発明の表示器の梱包構造によると、表示器用スタンドが梱包箱に収納されているときは表示器の緩衝材として機能しており、梱包箱から取り出したときは、単に脚部を折り出すのみで表示器用スタンドとして表示器を支持することができる。そのため本発明では、表示器用スタンドを梱包箱から取り出して脚部を折り出すだけの簡単な作業で表示器を支持することができるので、使用者は梱包箱から表示器を取り出して当該表示器に対する初期設定を簡易迅速に行うことができる上に、表示器用スタンドは極めて簡易な構造であるから製作のための金型コストも安価に済む。
【発明の効果】
【０００９】
本発明によれば、梱包箱から表示器を取り出して当該表示器に対する初期設定等の操作を簡単、迅速、安価に実施することができるようになる。
【００１０】
また本発明によれば、梱包用の緩衝材とスタンド用の緩衝材を分けて製造する必要がなくコストが安価にできる。
【発明を実施するための最良の形態】
【００１１】
以下、添付した図面を参照して本発明の実施の形態に係る表示器用スタンドを詳細に説明する。実施の形態の表示器は何でもよいが、例えばプログラマブル表示器を適用することができる。図１ないし図７は実施の形態に係り、図１は、実施の形態の表示器用スタンドが収納される梱包箱を分解して示す斜視図、図２は図１に示す緩衝箱を底面側から見た斜視図、図３は表示器を梱包して蓋部を閉じた状態の梱包箱の断面図、図４は梱包箱の蓋部を開いた状態を示す斜視図、図５は蓋部フラップを開き保護材を取り、梱包箱本体から表示器用スタンドを取り出した状態を示す斜視図、図６（ａ）は表示器用スタンドを起立させその底面側から見た斜視図、図６（ｂ）は表示器スタンドを起立させその底面側から見た斜視図、図７は表示器用スタンドの側面図である。
【００１２】
図１ないし図３を参照して、１は表示器、２は梱包箱、３は表示器用スタンド、４は保護材である。
【００１３】
表示器１は、平面視矩形の表示器本体１ａと、表示器本体１ａの外形よりも外側にフランジ状に突出した平面視矩形の薄型表示部１ｂとを備え、この薄型表示部１ｂに液晶表示パネル１ｃが組み込まれている。
【００１４】
梱包箱２は、段ボール製であり、梱包箱本体２ａと、梱包箱本体２ａの収納取出口（開口部）２ｆの対向する左右２辺それぞれに内蓋フラップ２ｂ、別の対向する前後２辺それぞれに外蓋フラップ２ｃを備えている。梱包箱本体２ａは底板２ａ１、この底板２ａ１の４辺から立ち上がる４つの側板２ａ２，２ａ３，２ａ４，２ａ５とから構成され、天面側は開放されて上記収納取出口２ｆを構成している。
【００１５】
表示器用スタンド３は、緩衝材５と、ケース６と、一対の脚部７と、一対の脚部支持片８とを備えて構成されている。
【００１６】
緩衝材５は、その材料に特に限定されないが、例えば発泡スチロール製やダンボール製等でよく、表示器１の表示器本体１ａが嵌入可能な深さを有する凹部５ａを備えている。
【００１７】
ケース６は、例えば段ボール製であって、梱包箱２に出し入れ可能に収納される。ケース６は、底板６ａ、底板６ａの４辺から立ち上がる４つの側板６ｂ，６ｃ，６ｄ、６ｅ、表示器保持窓６ｆ付きの天板６ｇとから構成とされている。側板６ｅは、開閉可能であり、内部に緩衝材５の収納が可能になっている。側板６ｅの遊端には天板６ｇの内面に嵌入される立上部６ｅ１が形成されている。ケース６に緩衝材５が挿入された後、天板６ｇの表示器保持窓６ｆに表示器１の本体１ａが嵌め込まれることにより表示器１はケース６に保持され、緩衝材５で緩衝されるようになっている。なお、ケース６は梱包箱本体２ａに横向きに収納されている状態では、説明の都合で、下面側を底側とし、上面側を天側としたが、梱包箱本体２ａから取り出されて縦置きされたときは、使用者側から見られて、その底側は背面側となり、上面側は正面側となる。
【００１８】
ケース６の底板６ａの背面には、折り出し式の左右一対の脚部７と、同じく左右一対の脚部支持片８とが切り込み形成されている。左右の脚部７は縦向きの折り線ｘに沿って観音開き状に折り出すことができ、左右の脚部支持片８は横向きの折り線ｙに沿って折り出し可能である。折り出した脚部７の内側で脚部支持片８を折り出して、脚部支持片８の遊端に形成してある切り込み９を脚部７の内縁に係止することで脚部７を使用姿勢に組み立て固定することができるようになっている。
【００１９】
以上の構成を備えた表示器用スタンド３においては、梱包箱２の梱包箱本体２ａ内部に横向き姿勢で収納される。この場合、ケース６の正面側の保持窓６ｆに表示器１が嵌め込まれて保持されている。また、ケース６の背面側では脚部７が折り込まれている。この状態では表示器用スタンド３は表示器１の緩衝材として機能している。そして、表示器用スタンド３を梱包箱２から取り出したときは、脚部７を折り出して縦置き姿勢で設置場所に設置することによりで表示器１を支持するスタンドとして機能するようになっている。
【００２０】
図４ないし図７を参照して実施の形態の梱包箱２において、表示器１を梱包箱２に梱包する作業を説明すると、まず、表示器用スタンド３を梱包箱本体２ａに収納し、表示器用スタンド３の表示器保持窓６ｆに表示器１の表示器本体１ａを嵌め込むとともに、表示器本体１ａを緩衝材５の凹部５ａに嵌入する。こうして表示器１を保持した表示器用スタンド３を梱包箱本体２ａの底面に横向き姿勢で押し込んだ後、表示器１の表示部１ｂの上に保護材４を載置し、梱包箱２の一対の内蓋フラップ２ｂを折り込み、次いで一対の外蓋フラップ２ｃを折り込む。これにより、梱包箱２に対する表示器１の梱包が終了する。
【００２１】
次に、表示器１を梱包箱２から取り出し、初期設定等の操作をする作業を説明する。まず、梱包箱２の外蓋フラップ２ｃを折り出し、次いで、内蓋フラップ２ｂを折り出す。その後、保護材４を取り出した後、表示器用スタンド３を梱包箱２から取り出す。梱包箱２から取り出した表示器用スタンド３に対しては、脚部支持片８を折り出して、脚部支持片８の遊端に形成してある切り込み９を脚部７の内縁に係止することで表示器用スタンド３を使用姿勢である縦置き姿勢に組み立てる。
【００２２】
以上の実施の形態の表示器用スタンド３においては、梱包箱２を開いて取り出し、次いで、その底面に備えた脚部７、脚部支持片８を折り出して組み立てるだけの簡易な作業で表示器用スタンド３を組み立てることができる。
【００２３】
このようにして実施の形態の表示器用スタンド３では図７に示すように、表示部１ｂを使用者が操作し易くかつ表示部１ｂを視認し易い斜め姿勢に保持することができる。
【図面の簡単な説明】
【００２４】
【図１】本発明の実施の形態の梱包箱を分解して示す斜視図である。
【図２】図１に示す緩衝箱を底面側から見た斜視図である。
【図３】表示器を梱包して蓋部を閉じた状態の梱包箱の断面図である。
【図４】梱包箱の蓋部を開いた状態を示す斜視図である。
【図５】蓋部フラップを開き保護材を取り、梱包箱本体から緩衝箱を取り出した状態を示す斜視図である。
【図６】（ａ）緩衝箱を起立させその底面側から見た斜視図、（ｂ）表示器スタンドとして用いている緩衝箱を起立させその底面側から見た斜視図である。
【図７】表示器スタンドとして表示器を起立保持している緩衝箱の側面図である。
【符号の説明】
【００２５】
１    表示器
２    梱包箱
２ａ  梱包箱本体
２ｂ  内蓋部
２ｃ  外蓋部
３    表示器用スタンド
５    緩衝材
６    ケース
６ｆ  保持窓
７    脚部
【図１】
0004602859.tif 000002
【図２】
0004602859.tif 000003
【図３】
0004602859.tif 000004
【図４】
0004602859.tif 000005
【図５】
0004602859.tif 000006
【図６】
0004602859.tif 000007
【図７】
0004602859.tif 000008